(57)【要約】      （修正有）【課題】受付を無くすことで省力化が図れるうえ、顧客に対するサービスの向上を図ることができるカラオケ施設の自動課金システムを提供する。【解決手段】自動課金システムは、カラオケ装置の電源をオンオフ制御する電源制御部２０を備えたカラオケルームに適用したものである。電源制御部２０は、金銭又はカードからなる金銭価値物品３の金額を読み取る金額読取手段２１と、金額読取手段２１で読み取った金額に応じてカラオケ利用時間を算出する時間設定手段２２と、算出したカラオケ利用時間の間、カラオケ装置へ電気を供給する電気供給手段２３とを備えている。【選択図】図２
0003145161.tif 000002
【実用新案登録請求の範囲】
【請求項１】
スピーカ、アンプ、モニタ、およびカラオケコントローラを有するカラオケ装置がカラオケルームに装備され、前記カラオケ装置の電源をオンオフ制御する電源制御部を備えたカラオケ施設の自動課金システムであって、
前記電源制御部は、
金銭又はカードからなる金銭価値物品の金額を読み取る金額読取手段と、
前記金額読取手段で読み取った金額に応じてカラオケ利用時間を算出する時間設定手段と、
算出した前記カラオケ利用時間の間、前記カラオケ装置へ電気を供給する電気供給手段と、
を備えていることを特徴とするカラオケ施設の自動課金システム。
【請求項２】
前記金額読取手段で読み取った金額だけ課金されることを特徴とする請求項１に記載のカラオケ施設の自動課金システム。
【請求項３】
前記電源制御部は、前記アンプおよび前記モニタに接続されていることを特徴とする請求項１又は２に記載のカラオケ施設の自動課金システム。
【請求項４】
前記電源制御部は、前記カラオケルームに設けられる照明設備および音響設備に接続され、それら電気設備の電源をオンオフ制御することを特徴とする請求項１乃至３のいずれかに記載のカラオケ施設の自動課金システム。
【考案の詳細な説明】
【技術分野】
【０００１】
本考案は、カラオケ施設の自動課金システムに関する。
【背景技術】
【０００２】
従来、カラオケ施設におけるカラオケの形態として、１曲毎に設定された料金（例えば、１曲あたり１００円など）をカラオケ装置に投入するものがある。この場合、１曲を通して歌う場合に限定されてしまい、例えば、一人で同じ曲を繰り返し練習したいといった目的では利用することができないことから、ルームチャージ制の形態が一般的となっている（例えば、特許文献１参照）。
このようなルームチャージ制のカラオケ施設では、受付において利用者の人数に応じた広さのカラオケルームが割り振られ、利用時間内で自由に歌って楽しめるようになっている。この形態におけるカラオケ料金は、時間当たりの部屋代に含まれており、受付で入退室時の利用時間が管理され、その利用時間に応じた料金を支払うようなシステムとなっている。
【特許文献１】特開平５−２１６４８６号公報
【考案の開示】
【考案が解決しようとする課題】
【０００３】
しかしながら、従来のカラオケ施設では、以下のような問題があった。
すなわち、受付が設けられたカラオケ施設では、利用者毎にカラオケルームの利用時間が管理され、その利用時間に応じた料金を退出時に精算する必要があり、例えば混雑時には清算するために長時間待たされるといった不具合が発生するとともに、それらの管理は受付で作業する従業員にとって手間のかかる作業となる欠点があった。
【０００４】
そこで、本考案は、このような従来の事情に鑑みて提案されたものであり、受付を無くすことで省力化が図れるうえ、顧客に対するサービスの向上を図ることができるカラオケ施設の自動課金システムを提供することを目的とする。
【課題を解決するための手段】
【０００５】
この目的を達成するために、本考案に係るカラオケ施設の自動課金システムでは、スピーカ、アンプ、モニタ、およびカラオケコントローラを有するカラオケ装置がカラオケルームに装備され、カラオケ装置の電源をオンオフ制御する電源制御部を備えたカラオケ施設の自動課金システムであって、電源制御部は、金銭又はカードからなる金銭価値物品の金額を読み取る金額読取手段と、金額読取手段で読み取った金額に応じてカラオケ利用時間を算出する時間設定手段と、算出したカラオケ利用時間の間、カラオケ装置へ電気を供給する電気供給手段とを備えていることを特徴としている。
【０００６】
本考案では、利用者が金銭又はカードなど金銭価値物品を例えば電源制御部に投入することで、その金銭価値物品の金額が金銭読取手段によって読み取られ、その金額に応じて時間設定手段によって例えば予め設定しておいた単位金額あたりの時間に基づいてカラオケ利用時間が算出され、そのカラオケ利用時間に応じて電気供給手段によってカラオケ装置が電源オンの状態となり電気が供給され、前記カラオケ利用時間内で利用者はカラオケ装置を使用して歌うことができる。そして、カラオケ利用時間が経過したときには、カラオケ装置が電源オフの状態に切り替わって電気の供給が停止され、カラオケ装置を使用することができないようになっている。
【０００７】
また、本考案に係るカラオケ施設の自動課金システムでは、金額読取手段で読み取った金額だけ課金されることが好ましい。
【０００８】
本考案では、金額読取手段で読み取った金額の金銭価値物品が課金され、その課金した金額に相当するカラオケ利用時間分だけ、カラオケ装置を使用して歌うことができる。
【０００９】
また、本考案に係るカラオケ施設の自動課金システムでは、電源制御部は、アンプおよびモニタに接続されていることが好ましい。
【００１０】
本考案では、電気供給手段によってカラオケ装置のアンプおよびモニタが電源オンの状態になったときのみカラオケ装置が使用可能となり、利用者はカラオケを行うことができる。
【００１１】
また、本考案に係るカラオケ施設の自動課金システムでは、電源制御部は、カラオケルームに設けられる照明設備および音響設備に接続され、それら電気設備の電源をオンオフ制御することが好ましい。
【００１２】
本考案では、照明設備および音響設備の電気設備においても、カラオケ装置と同様に時間設定手段によって算出されたカラオケ利用時間に対応させて電源をオンオフ制御させる構成であるので、カラオケ利用時間が経過したときに、これら電気設備が電源オフの状態に切り替わって電気の供給が停止され、使用することができなくなる。
【考案の効果】
【００１３】
以上のように、本考案に係るカラオケ施設の自動課金システムでは、電源制御部に投入した金銭価値物品の金額に応じて自動で算出されたカラオケ利用時間だけカラオケ装置が電源オンの状態となって使用可能となり、利用者がカラオケを楽しむことができる。そのため、従来、カラオケ施設に設けられている受付において行われる入退室時の時間管理や利用料金管理が不要となるので、受付を無くすことが可能となり、従業員の省力化を図ることができる。そのうえ、例えば利用者の混雑時の清算待ちがなくなることから、顧客に対するサービスの向上を図ることができる。
【考案を実施するための最良の形態】
【００１４】
以下、本考案を適用したカラオケ施設の自動課金システムの実施の形態について、図１乃至図３を参照して詳細に説明する。
図１は本考案を適用した実施の形態によるカラオケルームに採用した自動課金システムの概略構成を示す図、図２は電源制御部の概略構成を示す図、図３は自動課金システムの動作フローを示す図である。
【００１５】
図１に示すように、本考案の実施の形態による自動課金システム１は、カラオケ施設のカラオケルーム２を利用するにあたって、投入金額に応じたカラオケ利用時間が自動で算出され、その利用時間内においてカラオケ装置１０を使ってカラオケを楽しむことを可能にしたシステムである。つまり、本実施の形態のカラオケ施設は、個人やグループなどの利用者が歌って楽しめるカラオケルーム２が設けられ、カラオケルーム２にはカラオケ装置１０が装備されている。
【００１６】
カラオケ装置１０は、利用者が選択した曲を入出力するためのカラオケコントローラ１１と、音声の増幅機能を有するアンプ１２と、複数台（本実施の形態では二つ）のスピーカ１３、１３と、モニタ１４と、マイク１５とを備え、電源が電源制御部２０によってオンオフ制御される構成となっている。
【００１７】
具体的には、電源制御部２０の電源２０ａが元電源（図示省略）に接続され、アンプ１２とモニタ１４とが電源制御部２０に接続して電源制御部２０から電気が供給されるとともに、カラオケコントローラ１１がアンプ１２とモニタ１４のそれぞれに接続されている。さらにマイク１５はカラオケコントローラ１１に、及びスピーカ１３、１３がそれぞれアンプ１２に接続されている。つまり、アンプ１２及びモニタ１４は、電源制御部２０から電気が供給された場合にのみ作動するようになっている。
【００１８】
図２に示すように、電源制御部２０は、金銭又はカードなどの金銭価値物品３を読み取る金額読取手段２１と、金額読取手段２１によって金銭価値物品３の金額に応じてカラオケ利用時間を算出する時間設定手段２２と、時間設定手段２２で算出したカラオケ利用時間の間、カラオケ装置１０へ電気を供給する電気供給手段２３とを備えている。
【００１９】
金額読取手段２１は、金銭価値物品３が例えば金銭を対象とした場合には、電源制御部２０の筐体に備えたコイン投入口や紙幣投入口と、投入された金銭の金額を読み取る装置とからなる。また、金銭価値物品３が例えばプリペイドカード（以下、単にカードという）を対象とした場合には、金額読取手段２１は、電源制御部２０の筐体に備えたカード取込み口と、投入されたカードの金額を読み取る装置とからなる。なお、ここで使用するカラオケ専用のカードは、例えばをカラオケ施設の近くに設置される専用の自動販売機によって購入したものを採用することができる。
【００２０】
時間設定手段２２は、金額読取手段２１で読み取った金額に応じて、予め設定しておいた単位金額あたりの時間に基づいてカラオケ装置１０を使用できるカラオケ利用時間を自動で算出するものである。
電気供給手段２３は、時間設定手段２２によって算出されたカラオケ利用時間に基づき、カラオケの利用が可能と判断された場合にカラオケ装置１０のアンプ１２とモニタ１４の電源をオン状態にして電気を供給する制御を行うとともに、内部にタイマー機構（図示省略）を備えており、時間設定手段２２によって算出されたカラオケ利用時間が経過した時点でカラオケ装置１０の電源をオフ状態にする制御を行うものである。
そして、電源制御部２０では、金額読取手段２１で読み取った金額だけ課金されるようになっている。
【００２１】
次に、上述したようなカラオケルーム２に備えた電源制御部２０を使用した自動課金システム１の作用および動作フローについて図３などを用いて具体的に説明する。
先ず、カラオケの利用者がカラオケ施設で利用したいカラオケルームを選択する。そして、図１及び図３に示すように、カラオケ利用者が選択した図１に示すカラオケルーム２において、電源制御部２０の筐体に設けられた投入部（金銭投入口、或いはカード投入口）に金銭価値物品３を投入する（ステップＳ１）。このとき、カラオケ装置１０は電源オフの状態となっている。そして、金額読取手段２１によって、投入した金銭価値物品３の金額が読み取られる（ステップＳ２）。
【００２２】
次いで、ステップＳ３において、時間設定手段２２によって、金額読取手段２１で読み取った金額に応じて、予め設定しておいた単位金額あたりの時間に基づいてカラオケ装置１０を使用することが可能なカラオケ利用時間が算出される。
【００２３】
そして、算出されたそのカラオケ利用時間に基づき、ステップＳ４でカラオケの利用が可能かどうかの判断がなされる。つまり、カラオケ利用時間が、例えば予め設定しておいた最短利用時間（例えば３分など）より短い場合には、カラオケ利用不可と判断され（ステップＳ４：Ｎｏ）、カラオケ装置１０が電源オフの状態が維持され、カラオケ装置１０を使用することができないようになっている。
【００２４】
一方、カラオケ利用時間が前記最短利用時間以上である場合には、カラオケ利用可能と判断され（ステップＳ４：Ｙｅｓ）、ステップＳ５に進み、カラオケ装置１０のアンプ１２とモニタ１４とが電源オンの状態となって電気が供給され、カラオケ装置１０を使用してカラオケを行うことができる。このとき利用できるカラオケの形態は時間制となるので、１曲ずつ歌ってもよいし、同じ曲で部分的に繰り返して歌ってもよく、前記算出されたカラオケ利用時間内であれば自由にカラオケを楽しむことができる。
【００２５】
そして、ステップＳ６において、電源制御部２０ではタイマー機構により算出されたカラオケ利用時間の経過が時間管理されている。つまり、カラオケ開始時から所定の利用時間が経過した場合（ステップＳ６：Ｙｅｓ）、ステップＳ７に進み、カラオケ装置１０のアンプ１２とモニタ１４とが電源オフの状態に切り替わって電気の供給が停止され、カラオケ装置１０が使用できなくなる。
【００２６】
なお、カラオケの途中、或いは利用時間終了時にカラオケ利用時間を延長する場合には、さらに金銭価値物品３を投入することで、その金額に応じたカラオケ利用時間分を加算することができる。
このように、本実施の形態の自動課金システム１では、金額読取手段２１で読み取った金額だけ課金される構成であり、その課金した金額に相当するカラオケ利用時間分だけ、カラオケ装置１０を使用して歌うことができる。
【００２７】
そして、本実施の形態では、電源制御部２０がカラオケ装置１０のアンプ１２とモニタ１４に接続されているので、電気供給手段２３によってアンプ１２とモニタ１４が電源オンの状態になったときのみカラオケ装置１０が使用可能となり、カラオケを行うことができるようになっている。
【００２８】
上述した本実施の形態によるカラオケ施設の自動課金システムでは、電源制御部２０に投入した金銭価値物品３の金額に応じて自動で算出されたカラオケ利用時間だけカラオケ装置１０が電源オンの状態となって使用可能となり、利用者がカラオケを楽しむことができる。そのため、従来、カラオケ施設に設けられている受付において行われる入退室時の時間管理や利用料金管理が不要となるので、受付を無くすことが可能となり、従業員の省力化を図ることができる。そのうえ、例えば利用者の混雑時の清算待ちがなくなることから、顧客に対するサービスの向上を図ることができる。
【００２９】
以上、本考案によるカラオケ施設の自動課金システムの実施の形態について説明したが、本考案は上記の実施の形態に限定されるものではなく、その趣旨を逸脱しない範囲で適宜変更可能である。
例えば、本実施の形態では電源制御部２０をカラオケ装置１０のアンプ１２とモニタ１４とに接続してカラオケ利用時間に応じて電気を供給しているが、この接続形態に限定されることはなく、例えばカラオケコントローラ１１の電源を電源制御部２０に接続させた構成であってもかまわない。また、電源制御部２０はカラオケ装置１０の電源としてだけでなく、カラオケルーム２に設けられる照明設備および音響設備の電気設備の電源に接続してもよく、これにより前記電気設備においても、カラオケ装置１０と同様に時間設定手段２２によって算出されたカラオケ利用時間に対応させて電源をオンオフ制御させ、カラオケ利用時間が経過したときに、これら電気設備が電源オフの状態に切り替わって電気の供給が停止され、使用することができないようにしてもよい。
【００３０】
そして、時間設定手段２２において、カラオケ利用時間を算出するための単位金額あたりの時間は、任意に設定、変更することが可能である。
【００３１】
また、本実施の形態の動作フローのステップＳ４において、カラオケ利用の可否の判断基準である最短利用時間は、判断基準の一例であって、これに限定されることはない。そして、この判断基準は、ステップＳ４を省略することも可能であり、ステップＳ３から直接ステップＳ５へ進む動作となるようにしてもよい。
【００３２】
さらに、電源制御部２０における金銭又はカードの投入部の構造、およびその投入金額の読み取り装置は、投入する金銭価値物品３の種類によって任意に設定することができる。
さらにまた、カラオケルーム２の広さ、収容人数などはとくに限定されることはなく、例えば一人用のカラオケルーム等にも適用することが可能である。
【図面の簡単な説明】
【００３３】
【図１】本考案を適用した実施の形態によるカラオケルームに採用した自動課金システムの概略構成を示す図である。
【図２】電源制御部の概略構成を示す図である。
【図３】自動課金システムの動作フローを示す図である。
【符号の説明】
【００３４】
１  自動課金システム
２  カラオケルーム
３  金銭価値物品
１０  カラオケ装置
１１  カラオケコントローラ
１２  アンプ
１３  スピーカ
１４  モニタ
２０  電源制御部
２１  金額読取手段
２２  時間設定手段
２３  電気供給手段
【図１】
0003145161.tif 000003
【図２】
0003145161.tif 000004
【図３】
0003145161.tif 000005